(57)【要約】      （修正有）【課題】嵌着されたソケット工具等が、作業中に周辺器具や作業現場の機材等に接触等されても、嵌挿中のソケット工具を左右する保持スリーブに匹敵する回転体が回転しないようにする。【解決手段】六角シャンク付工具をなすシャンクを挿入する嵌挿部３を有し、外周部に一方のボールの一部を挿入する凹部を形成し、凹部と対向する外周部から嵌挿部３に達し、他方のボールの一部が飛出可能な形状の貫通孔を有するソケット挿入体ａと、ソケット挿入体ａが貫通する第１貫通孔と、後方端部にソケット挿入体ａを貫通する第２貫通孔と、第２貫通孔より外側部位にバネとバネによって押圧されるボールが挿入するバネ挿入部と、一方のボールが嵌挿する凹部とからなる嵌脱操作部を嵌着する回転体ｂと、ソケット体ａが貫通する第３貫通孔を有するカバーｄとを形成し、回転体ｂにソケット挿入体ａとカバーｄとを組立てる。【選択図】図１
0003140909.tif 000002
【実用新案登録請求の範囲】
【請求項１】
六角シャンク付工具類を構成するシャンクを挿入する嵌挿部を有し、外周部に一方のボールの一部を挿入する凹部を形成し、前記凹部と対向する前記外周部から前記嵌挿部に達し、他方のボールの一部が飛出可能な形状の貫通孔を有するソケット挿入体と、前記ソケット挿入体が貫通する第１貫通孔と、後方端部に前記ソケット挿入体を貫通する第２貫通孔と、前記第２貫通孔より外側部位にバネと前記バネによって押圧される前記他方のボールとが挿入するバネ挿入部と、前記一方のボールが嵌挿する凹部とからなる嵌脱操作部を嵌着する回転体と、前記ソケット体が貫通する第３貫通孔を有するカバーとを形成し、前記回転体に前記ソケット挿入体と前記カバーとを組立てることを特徴とする六角シャンク付工具類ホルダー。
【請求項２】
前記嵌脱操作部が、前記バネと他方のボールとを挿入するバネ挿入部を左サイドと右サイドに２箇所形成し、前記バネ挿入部に前記バネを挿入し、且前記バネとの間に他方のボールを介在させ、前記一方のボールが嵌挿する凹部を２個形成することを特徴とする請求項１記載の六角シャンク付工具類ホルダー。
【請求項３】
前記嵌脱操作部のバネ挿入部が、内側部に前記他方のボールをストップさせる止め部を形成することを特徴とする請求項１又は同２記載の六角シャンク付工具類ホルダー。
【請求項４】
前記一方のボールが、前記バネ挿入部を構成する止め部の先端部が、前記凹部と対向状に形成されていることを特徴とする請求項１又は同２又は同３記載の六角シャンク付工具類ホルダー。
【請求項５】
前記ソケット挿入体の前記嵌挿部は、縦断面形状が六角形状とし、前記外周部は縦断面形状が円形状とすることを特徴とする請求項１又は同２又は同３又は同４記載の六角シャンク付工具類ホルダー。
【請求項６】
前記ソケット挿入体は、頭部に引掛け部材の貫通孔を形成することを特徴とする請求項１又は同２又は同３又は同４又は同５記載の六角シャンク付工具類ホルダー。
【考案の詳細な説明】
【技術分野】
【０００１】
本考案は、六角シャンク付工具類ホルダーの技術分野に関するものである。
【背景技術】
【０００２】
従来、ドライバービットを保持するビット保持機構が実開平６−５３０６５号公開実用新案公報として開示されている。
【０００３】
前記開示の公開実用新案公報の考案は、段落〔００１１〕において、「保持スリーブ２０を適宜軸方向に摺動変位させることにより、鋼球２４をドライバービット１２の環状溝１２ｃに対し嵌脱操作し得るよう構成する。」と記載されているように、前記保持スリーブ２０を軸方向に摺動変位させることによって、ドライバービット１２の環状溝１２ｃから鋼球２４を離脱せしめる機構である。
【特許文献１】実開平６−５３０６５号公開実用新案公報
【考案の開示】
【考案が解決しようとする課題】
【０００４】
前記した従来の背景技術として挙げた実開平６−５３０６５号公開実用新案公報の考案は、ドライバービット１２を嵌脱させるための嵌脱機構である保持スリーブ２０を軸方向に摺動変位させることによって行うものである。
【０００５】
そのため、前記保持スリーブ２０が作業中に、周辺器具や作業現場の機材等に接触したり、あるいは押圧されたりして、不意に摺動変位するおそれがある。
【０００６】
従って、前記のとおり、保持スリーブ２０が、不意に摺動変位することによって、嵌挿中のドライバービット１２等が不意に離脱し、落下し、思わぬ事故を惹起することが懸念される。
【０００７】
しかるに、本考案の六角シャンク付工具類ホルダーは、嵌着されている前記ソケット工具等が、作業中に周辺器具又は作業現場の機材等に接触したり、あるいは押圧されたりしても、嵌挿中のソケット工具を直接左右する前記保持スリーブに匹敵する回転体が回転しないようにした。
【０００８】
そのため、本考案は、ソケット挿入体内に嵌挿中のソケット工具類の頭部が、安全ベルトもしくは安全ベルト用工具ホルダーに吊下げ中において、作業現場等の器具等に接触したり、あるいは押し付けられたりしても、前記回転体が容易に回転しないようにした。
【課題を解決するための手段】
【０００９】
課題を解決するための手段として、請求項１記載の考案は、六角シャンク付工具１類を構成するシャンク２を挿入する嵌挿部３を有し、外周部４に一方のボール５の一部を挿入する凹部６を形成し、前記凹部６と対向する前記外周部４から前記嵌挿部３に達し、他方のボール８の一部が飛出可能な形状の貫通孔９を有するソケット挿入体ａと、前記ソケット挿入体ａが貫通する第１貫通孔１０と、後方端部１１に前記ソケット挿入体ａを貫通する第２貫通孔１２と、前記第２貫通孔１２より外側部位にバネ１３と前記バネ１３によって押圧される前記他方のボール８とが挿入するバネ挿入部１５と、前記一方のボール５が嵌挿する凹部１６とからなる嵌脱操作部ｃを嵌着する回転体ｂと、前記ソケット体ａが貫通する第３貫通孔１７を有するカバーｄとを形成し、前記回転体ｂに前記ソケット挿入体ａと前記カバーｄとを組立てる六角シャンク付工具類ホルダーである。
【００１０】
課題を解決するための手段として、請求項２記載の考案は、前記嵌脱操作部ｃが、前記バネ１３と他方のボール８とを挿入するバネ挿入部１５を左サイドと右サイドに２箇所形成し、前記バネ挿入部１５に前記バネ１３を挿入し、且前記バネ１３、１３との間に他方のボール５を介在させ、前記一方のボール５が嵌挿する凹部１６を２個形成する六角シャンク付工具類ホルダーである。
【００１１】
課題を解決するための手段として、請求項３記載の考案は、前記嵌脱操作部ｃのバネ挿入部１５が、内側部に前記他方のボール８をストップさせる止め部１８を形成する六角シャンク付工具類ホルダーである。
【００１２】
課題を解決するための手段として、請求項４記載の考案は、前記一方のボール８が、前記バネ挿入部１５を構成する止め部１８の先端部１８ａが、前記凹部１６と対向状に形成されている六角シャンク付工具類ホルダーである。
【００１３】
課題を解決するための手段として、請求項５記載の考案は、前記ソケット挿入体ａの前記嵌挿部３は、縦断面形状が六角形状とし、前記外周部４は縦断面形状が円形状とする六角シャンク付工具類ホルダーである。
【００１４】
課題を解決するための手段として、請求項６記載の考案は、前記ソケット挿入体ａは、頭部に引掛け部材の貫通孔１９を形成する六角シャンク付工具類ホルダーである。
【考案の効果】
【００１５】
請求項１記載の考案は、六角シャンク付工具１類を構成するシャンク２を挿入する嵌挿部３を有し、外周部４に一方のボール５の一部を挿入する凹部６を形成し、前記凹部６と対向する前記外周部４から前記嵌挿部３に達し、他方のボール８の一部が飛出可能な形状の貫通孔９を有するソケット挿入体ａと、前記ソケット挿入体ａが貫通する第１貫通孔１０と、後方端部１１に前記ソケット挿入体ａを貫通する第２貫通孔１２と、前記第２貫通孔１２より外側部位にバネ１３と前記バネ１３によって押圧される前記他方のボール８とが挿入するバネ挿入部１５と、前記一方のボール５が嵌挿する凹部１６とからなる嵌脱操作部ｃを嵌着する回転体ｂと、前記ソケット体ａが貫通する第３貫通孔１７を有するカバーｄとを形成し、前記回転体ｂに前記ソケット挿入体ａと前記カバーｄとを組立てる六角シャンク付工具類ホルダーなので、作業者が安全ベルトもしくは安全ベルト用工具ホルダーに吊下げていても、作業現場周辺の器具等に接触したりあるいは押し付けられたりしても、回転体が回転することがない。
【００１６】
そのため、前記回転体が容易に回転して、嵌挿中のソケット工具が不意に離脱し、事故を惹起したりしない。
【００１７】
請求項２記載の考案は、前記嵌脱操作部ｃが、前記バネ１３と他方のボール８とを挿入するバネ挿入部１５を左サイドと右サイドに２箇所形成し、前記バネ挿入部１５に前記バネ１３を挿入し、且前記バネ１３、１３との間に他方のボール５を介在させ、前記一方のボール５が嵌挿する凹部１６を２個形成する六角シャンク付工具類ホルダーなので、請求項１記載の考案の効果と同じ効果を有している。
【００１８】
さらに本考案は、回転体を左右何れかの方向に回転させることができるので、操作が極めてやり易く作業性が極めて良好である。
【００１９】
請求項３記載の考案は、前記嵌脱操作部ｃのバネ挿入部１５が、内側部に前記他方のボール８をストップさせる止め部１８を形成する六角シャンク付工具類ホルダーなので、前記請求項１又は同２記載の考案の効果と同じ効果を有している。
【００２０】
さらに、本考案は、他方のボールを確実に所定の位置にストップさせることができる。
【００２１】
請求項４記載の考案は、前記一方のボール８が、前記バネ挿入部１５を構成する止め部１８の先端部１８ａが、前記凹部１６と対向状に形成されている六角シャンク付工具類ホルダーなので、前記請求項１又は同２又は同３記載の効果と同じ効果を有している。
【００２２】
請求項５記載の考案は、前記ソケット挿入体ａの前記嵌挿部３は、縦断面形状が六角形状とし、前記外周部４は縦断面形状が円形状とする六角シャンク付工具類ホルダーなので、請求項１又は同２又は同３又は同４記載の効果と同じ効果を有している。
【００２３】
請求項６記載の考案は、前記ソケット挿入体ａは、頭部に引掛け部材の貫通孔１９を形成する六角シャンク付工具類ホルダーなので、請求項１又は同２又は同３又は同４又は同５記載の効果と同じ効果を有している。
【考案を実施するための最良の形態】
【００２４】
本考案の請求項１〜６記載の考案に関する実施の形態は共通しているので、以下のとおり一括して説明する。
【００２５】
図において、ａはソケット挿入体であり、以下の構成からなっている。
【００２６】
ソケット工具１類を構成するシャンク２を挿入する嵌挿部３を有し、外周部４に一方のボール５の一部を挿入する凹部６を形成し、前記凹部６と対向する前記外周部４から他方のボール８の一部が飛出可能な形状の貫通孔９を形成する。
【００２７】
ｂは前記ソケット挿入体ａを貫通する第１貫通孔１０が形成されている回転体である。
【００２８】
さらに、前記回転体ｂには、下記の構成からなる嵌脱操作部ｃを嵌着する。
【００２９】
前記ソケット挿入体ａが貫通する第１貫通孔１０と、後方端部１１に前記ソケット挿入体ａを貫通する第２貫通孔１２と、前記第２貫通孔１２より外側部位にバネ１３と前記バネ１３によって押圧される前記他方のボール８とが挿入するバネ挿入部１５と、前記一方のボール５が嵌挿する凹部１６とからなる。
【００３０】
ｃは、前記ソケット体ａが貫通する第３貫通孔１７を有するカバーである。
【００３１】
本考案は、前記回転体ｂに前記ソケット挿入体ａと前記カバーｄとを嵌挿し組立てる。
【００３２】
さらに、本考案は、前記嵌脱操作部ｃが、前記バネ１３と他方のボール８とを挿入するバネ挿入部１５を左サイドと右サイドに２箇所形成し、前記バネ挿入部１５に前記バネ１３を挿入し、且前記バネ１３、１３との間に他方のボール５を介在させ、前記一方のボール５が嵌挿する凹部１６を２個形成しても良い。
【００３３】
また、本考案は、前記嵌脱操作部ｃのバネ挿入部１５が、内側部に前記他方のボール８をストップさせる止め部１８を形成する。
【００３４】
さらに、本考案は、前記一方のボール８が、前記バネ挿入部１５を構成する止め部１８の先端部１８ａが、前記凹部１６と対向状に形成されている。
【００３５】
また、本考案は、前記ソケット挿入体ａの前記嵌挿部３は、縦断面形状が六角形状とし、前記外周部４は縦断面形状が円形状とする。
【００３６】
前記ソケット挿入体ａには、頭部に引掛け部材の貫通孔１９を形成する。
【００３７】
本考案は、前記回転体ｂに前記ソケット挿入体ａと前記カバーｄとを順次組立てる（図１、２）。
【００３８】
前記のように組立てられた本考案の六角シャンク付工具類ホルダーは、組立てられると、図４に開示されているように、他方のボール８が、貫通孔９に嵌挿している。そのためシャンク２を嵌挿部３に挿入しても、嵌挿凹部２ａ内に前記ボール８が嵌込むことはない。
【００３９】
しかし、回転体ｂを若干回転させると、前記ボール８が図４の図示状態から図５の図示状態になるように変位する。
【００４０】
前記のように、前記ボール８が変位したら、シャンク２を押込むと、嵌挿凹部２ａ内に前記ボール８が嵌込む。
【００４１】
前記のようにボール８が嵌込んだら、回転体ｂの回転を解除する。
【００４２】
前記の解除によって、ソケット工具１が離脱しない。
【００４３】
また、本考案は、前記回転体ｂを図５のように回転すると、一方のボール５がバネ１３を押圧し、止め部１８の先端部１８ａによってボール５が阻止され、同時に他方のボール８が凹部１６内に嵌込んで、挿入凹部２ａへの挿入から若干移動する。
【００４４】
前記の状態になったら、前記ソケット工具１を外側方に引張ると容易に離脱できる。そして、前記回転体ｂの回転を解除すると前記バネ１３の伸脹作用によって図４の図示状態に復元する。
【００４５】
さらに、図７のようにバネ１３が２本形成されているときは、前記回転体ｂは左右何れかの方向に回転させることが可能である。
【００４６】
前記回転体ｂの回転によって、一方のボール５が、前記嵌脱操作部ｃの凹部１６、１６の何れか一方に嵌挿する。
【００４７】
前記のように一方のボール５が何れか一方の凹部１６に嵌挿すると、前記シャンク２の嵌挿凹部２ａに嵌挿していた前記一方のボール５の嵌挿状態が解除されるので、前記ソケット工具１を引張ると容易に離脱できる。
【００４８】
そして、ソケット工具１の離脱が終了し、前記回転体ｂの回転を解除すると、他方のボール８とバネ１３、１３は、図７のように復元する。
【００４９】
前記図７の状態になると、一方のボール５は、貫通孔９に嵌挿する。
【００５０】
従って、本考案は、前記ソケット工具１のシャンク２をいきなり挿入体ａの嵌挿部３に挿入しても、一方のボール５が嵌挿凹部２ａには嵌挿しない。
【００５１】
前記シャンク２の嵌挿凹部２ａ内に前記一方のボール５を挿入するには、前記回転体ｂを若干回転させ、前記凹部１６内に前記一方のボール５が挿入し、シャンク２を押込むと、ボール５が前記嵌挿凹部２ａに嵌挿する。そして前記回転体ｂの回転を解除させる。その結果前記ソケット工具１が容易に脱出しない。
【図面の簡単な説明】
【００５２】
【図１】本考案六角シャンク付工具類ホルダーの傾斜図である。
【００５３】
【図２】同縦断正面図である。
【００５４】
【図３】同各構成部材の組立て前の状態を示す斜視図である。
【００５５】
【図４】図１のホルダーの縦断面図である。
【００５６】
【図５】図１の状態から回転体を回転せしめたときの状態を示す縦断面図である。
【００５７】
【図６】嵌脱操作部の第１実施例を示す平面図である。
【００５８】
【図７】嵌脱操作部の第２実施形態を示す平面図である。
【符号の説明】
【００５９】
ａ      ソケット挿入体
ｂ      回転体
ｃ      嵌脱操作部
ｄ      カバー
１      ソケット工具
２      シャンク
２ａ    嵌挿凹部
３      嵌挿部
４      外周部
５      一方のボール
６      凹部
８      他方のボール
９      貫通孔
１０    第１貫通孔
１１    後方端部
１２    第２貫通孔
１３    バネ
１５    バネ挿入部
１６    凹部
１７    第３貫通孔
１８    止め部
１８ａ  先端部
１９    先端部
２０    貫通孔
【図１】
0003140909.tif 000003
【図２】
0003140909.tif 000004
【図３】
0003140909.tif 000005
【図４】
0003140909.tif 000006
【図５】
0003140909.tif 000007
【図６】
0003140909.tif 000008
【図７】
0003140909.tif 000009